(57)【要約】【課題】ロアビームの構造を簡素にして、その加工を容易にしながらも、リフトシリンダを支持することができるリフトシリンダの支持構造を提供する。【解決手段】リフトシリンダの支持構造１は、リフトシリンダ２のシリンダボトム５に横方向を向いて突設されたピン１２，１３と、ロアビーム３の上面に設けられた略Ｌ字形状のプレート１１とを備えている。プレート１１には、その上端部から切り欠かれてなるスリット１４，１５が形成されており、これらのスリット１４，１５にそれぞれピン１２，１３が挿入されている。【選択図】  図１
2004359376.tif 000002
【特許請求の範囲】
【請求項１】
リフトシリンダにおけるシリンダ本体をロアビームの上面に載置して支持するリフトシリンダの支持構造であって、
前記ロアビームの上面に、前記シリンダ本体の横方向への移動を抑制する横方向移動抑制部材が設けられていることを特徴とするリフトシリンダの支持構造。
【請求項２】
前記横方向移動抑制部材は、前記ロアビームの上面に立設され、前記リフトシリンダの側方に隣接して配置されるプレートを備えており、
前記シリンダ本体のシリンダボトムに、横方向を向いて突設されたピンが設けられ、前記プレートには、その上端部から切り欠かれてなるスリットが形成されており、
前記スリットに前記ピンが挿入されている請求項１に記載のリフトシリンダの支持構造。
【請求項３】
前記シリンダ本体のシリンダボトムに前記ピンが２つ設けられ、前記２つのピンが前記シリンダ本体の周方向に離間して形成されている請求項２に記載のリフトシリンダの支持構造。
【請求項４】
前記横方向移動抑制部材が、前記シリンダ本体よりもマスト側のスペースを除いたスペースに配置されている請求項１〜請求項３のうちのいずれか１項に記載のリフトシリンダの支持構造。
【請求項５】
前記横方向移動抑制部材が、前記シリンダ本体よりも内方のスペースを除いたスペースに配置されている請求項１〜請求項４のうちのいずれか１項に記載のリフトシリンダの支持構造。
【発明の詳細な説明】
【０００１】
【発明の属する技術分野】
本発明は、フォークリフトにおけるリフトシリンダの底部を支持するリフトシリンダの支持構造に関する。
【０００２】
【従来の技術】
一般に、フォークリフトのリフトシリンダは、その底部側がマストのロアビーム上に載置されて支持されている。また、リフトシリンダは、その上部側が適宜サポート部材を介してマストに固定されている。このようなリフトシリンダの支持構造として、たとえば特開平６−３２５９７号公報に開示されたものがある。このリフトシリンダの支持構造においては、リフトシリンダの底面中央部に下向きに突設した凸部が形成され、ロアビームに上部が小径で下部が大径の段付き貫通孔が形成されている。この段付き貫通孔の上部に凸部を嵌入し、貫通孔の下側から抜止用の規制板を締着したものである。
【０００３】
また、他のリフトシリンダの支持構造としては、たとえば図５に示すものがある。図５に示すように、リフトシリンダの支持構造４０では、リフトシリンダにおけるシリンダ本体４１の下面に凸部４２が設けられており、ロアビーム４３には、上側が小径部４４、下側が大径部４５となる貫通孔が形成されている。この小径部４４に凸部４２が嵌入され、下側からワッシャ４６を介してボルト４７で固定されている。また、ロアビーム４３の下面における中心からずれた位置には、下側に突設するピン４８が設けられているとともに、ロアビーム４３には、このピン４８が嵌め込まれる孔部４９が形成されている。この孔部４９にピン４８が嵌め込まれることにより、リフトシリンダにおけるシリンダ本体４１が回り止めされている。
【０００４】
【特許文献１】
特開平６−３２５９７号公報
【０００５】
【発明が解決しようとする課題】
しかし、上記特許文献１に開示されたリフトシリンダの支持構造は、リフトシリンダをロアビームに固定するために、ロアビームに段差付きの貫通孔を形成している。このため、ロアビームの構造が複雑となり、その加工に手間がかかるものであった。さらに、図５に示す従来のリフトシリンダの支持構造は、上記特許文献１に開示された支持構造と同様の貫通孔を形成するとともに、回り止め用のピン４８を嵌め込むための孔部４９をロアビーム４３に形成している。このため、ロアビーム４３の構造が複雑となり、その加工はさらに手間がかかるものとなるという問題があった。
【０００６】
そこで、本発明の課題は、ロアビームの構造を簡素にして、その加工を容易にしながらも、リフトシリンダを支持することができるリフトシリンダの支持構造を提供することにある。
【０００７】
【課題を解決するための手段】
上記課題を解決した本発明に係るリフトシリンダの支持構造は、リフトシリンダにおけるシリンダ本体をロアビームの上面に載置して支持するリフトシリンダの支持構造であって、ロアビームの上面に、シリンダ本体の横方向への移動を抑制する横方向移動抑制部材が設けられているものである。
【０００８】
リフトシリンダの支持構造における役割は、リフトシリンダの上下方向への移動、横方向への移動、および回転をそれぞれ防止することが挙げられる。上記従来の実施形態では、これらの役割を果たすために、リフトシリンダの底面やロアビームに加工を施している。ところで、リフトシリンダは、通常、上方位置で支えられており、しかも、リフトシリンダには比較的大きな重量が掛かっている。このため、リフトシリンダの上下方向への移動について、特に防止しなくても大きな問題は生じない。また、回転防止については、リフトシリンダの上方位置においても処理を施すことができる。
【０００９】
これらの点に鑑み、本発明に係るリフトシリンダの支持構造においては、リフトシリンダの横方向への移動の防止を図るべく、横方向移動防止部材を設けている。しかも、この横方向移動防止部材をロアビームの上面に設けている。このため、貫通孔を形成するなど、ロアビームを複雑な形状とする必要がなくなる。したがって、ロアビームの加工を容易なものとすることができる。
【００１０】
なお、ここで言う「横方向」とは、ロアビーム上面と略平行な面上のすべての方向を表すものである。
【００１１】
ここで、横方向移動抑制部材は、ロアビームの上面に立設され、リフトシリンダの側方に隣接して配置されるプレートを備えており、シリンダ本体のシリンダボトムに、横方向を向いて突設されたピンが設けられ、プレートには、その上端部から切り欠かれてなるスリットが形成されており、スリットにピンが挿入されている態様とするのが好適である。
【００１２】
このように、横方向移動防止部材がロアビームの上面に設けられたプレートを有し、このプレートに形成されたスリットに、シリンダ本体のシリンダボトムに形成されたピンが挿入されていることにより、リフトシリンダの回転も防止することができる。
【００１３】
シリンダ本体のシリンダボトムにピンが２つ設けられ、２つのピンがシリンダ本体の周方向に離間して形成されている態様とするのが好適である。
【００１４】
本発明では、シリンダボトムに２つのピンが、シリンダ本体の周方向に離間して設けられている。このため、シリンダ本体の横方向のうち、前後左右の全面に亘る移動を好適に防止することができる。
【００１５】
さらに、横方向移動抑制部材が、シリンダ本体よりもマスト側のスペースを除いたスペースに配置されている態様とするのが好適である。
【００１６】
このように、横方向移動部材がシリンダ本体よりもマスト側のスペースを除いたスペースに配置されていることにより、リフトシリンダをマストに近い位置に配置することができる。このため、リフトシリンダとマストとの間の距離を短くすることができるので、安定性を高めることができる。
【００１７】
また、横方向移動抑制部材が、シリンダ本体よりも内方のスペースを除いたスペースに配置されている態様とするのが好適である。
【００１８】
このように、横方向移動抑制部材がシリンダ本体よりも内方のスペースを除いたスペースに配置されていることにより、リフトシリンダに作動油を供給する配管を配置するスペースを確保することができる。
【００１９】
【発明の実施の形態】
以下、図面を参照して、本発明の好適な実施形態について詳細に説明する。なお、各実施形態において、同一の機能を有する部分については同一の符号を付し、重複する説明は省略することがある。また、以下の説明で使用する「マスト側」、「後方」、「内方」、「外方」とは、図１における「左方向」、「右方向」、「上方向」、「下方向」をそれぞれ示すものとする。
【００２０】
図１は、本発明の第１の実施形態に係るリフトシリンダの支持構造の平面図、図２は、その側面図である。図１および図２に示すように、本実施形態に係るリフトシリンダの支持構造１が設けられる産業車両であるフォークリフトは、リフトシリンダ２およびロアビーム３を備えている。また、リフトシリンダ２は、シリンダ本体４を有しており、シリンダ本体４の下部には、シリンダボトム５が設けられている。さらに、ロアビーム３にはアウタマスト６が取り付けられている。こうして、リフトシリンダ２は、ロアビーム３の上面に載置されその底部が支持されている。
【００２１】
リフトシリンダの支持構造１は、ロアビーム３の上面に設けられた本発明の横方向移動抑制部材であるプレート１１およびシリンダボトム５の側面に突設されたピン１２，１３を有している。プレート１１は、図１に示すように、平面視した形状が略Ｌ字形状をなしており、その一辺はシリンダ本体４の外方、もう一辺はシリンダ本体４の後方に配置されており、シリンダ本体４よりもマスト側のスペースおよび内方のスペースを除いたスペースに配置されている。このプレート１１は、たとえば溶接によってロアビーム３に取り付けられている。また、プレート１１における両辺には、それぞれプレート１１の上端から縦方向に沿って切り欠かれて形成されたスリット１４，１５が設けられている。
【００２２】
シリンダボトム５に設けられた２つのピン１２，１３のうち、第一ピン１２は、外方に突出して設けられ、第二ピン１３は後方に突出して設けられている。これら第一ピン１２および第二ピン１３は、シリンダ本体４の周方向に、略９０度離間して形成されている。そして、第一ピン１２は、プレート１１の一辺に形成された第一スリット１４に上側から挿入され、第二ピン１３は、もう一辺に形成された第二スリット１５に上側から挿入されている。また、プレート１１は、ある程度の高さを有しており、スリット１４，１５は十分な深さに切り欠かれている。このスリット１４，１５の深さは、フォークリフトに多少の振動が生じても、プレート１１のスリット１４，１５からピン１２，１３が抜け出さない程度の深さとされている。
【００２３】
以上の構成を有する本実施形態に係るリフトシリンダの支持構造の作用について説明する。
【００２４】
本実施形態に係るリフトシリンダの支持構造１においては、シリンダ本体４の横方向への移動を防止するために、プレート１１を用いている。このプレート１１は、ロアビーム３の上面に設けられている。また、シリンダ本体４の回転を防止するために、プレート１１に形成されたスリット１４，１５にそれぞれシリンダボトム５に設けたピン１２，１３を挿入している。このため、ロアビーム３を複雑な形状とすることなく、簡素な構造としてシリンダ本体４の横方向への移動および回転を防止することができる。したがって、ロアビーム３の加工を容易なものとすることができる。特に、第一ピン１２および第二ピン１３はシリンダ本体４の周方向に略９０度離間して配置され、それぞれプレート１１のスリット１４，１５に挿入されている。このため、それぞれのピン１２，１３が横方向に移動してスリット１４，１５から抜けるのを全面に亘って防止しており、さらに確実にシリンダ本体４の横方向の移動を防止することができる。
【００２５】
また、本実施形態に係るリフトシリンダの支持構造１では、プレート１１を平面視した形状が略Ｌ字形状となるようにしている。このため、プレート１１がシリンダ本体４の外方および後方に配置され、シリンダ本体４のマスト側のスペースおよびシリンダ本体４の内方のスペースを除いたスペースに配置されている。プレート１１がシリンダ本体４のマスト側のスペースを除いたスペースに配置されていることにより、リフトシリンダとマストとの間の距離を短くすることができるので、安定度を高めることができる。また、シリンダ本体４の内方のスペースを除いたスペースに配置されていることにより、シリンダ本体４の内側は、リフトシリンダ２に作動油を供給する配管を配設するスペースとして利用することができる。
【００２６】
さらに、リフトシリンダ２は、図示はしないが上方で支えられているとともに、リフトシリンダ２には比較的大きな重量が掛かっている。このため、リフトシリンダの支持構造１で特にリフトシリンダ２の上下方向の移動を抑制する必要性は低いが、若干の上下動によってリフトシリンダの横方向の位置がずれてしまうことが懸念される。この点、本実施形態に係るプレート１１に形成されたスリット１４，１５は、十分な深さを有しているので、スリット１４，１５からピン１２，１３が抜けにくくされている。したがって、リフトシリンダ２が多少上下動したときでも、シリンダ本体４の横方向の位置がずれないようにすることができる。
【００２７】
また、リフトシリンダ２は、ロアビーム３に設けられたプレート１１のスリット１４，１５にピン１２，１３の位置を合わせて、プレート１１にシリンダボトム５を配置させるだけでよい。このため、リフトシリンダの支持構造１の組立や分解が容易なものとなり、たとえばリフトシリンダのメンテナンスの時間短縮に寄与することができる。
【００２８】
続いて、本発明の第２の実施形態について説明する。図３は、本発明の第２の実施形態に係るリフトシリンダの支持構造の平面図、図４は、その側面図である。図３および図４に示すように、本実施形態に係るリフトシリンダの支持構造２０が設けられるフォークリフトは、上記第１の実施形態と同様に、リフトシリンダ２およびロアビーム３を備えている。リフトシリンダ２は、シリンダ本体４を有しており、シリンダ本体４の下部には、シリンダボトム５が設けられている。さらに、ロアビーム３にはアウタマスト６が取り付けられている。
【００２９】
リフトシリンダの支持構造２０は、ロアビーム３の上面に設けられたプレート２１およびシリンダボトム５の側面に突設されたピン２２を有している。プレート２１は、図３に示すように、平面視した形状が略Ｃ字形状をなしており、その開口部がシリンダ本体４の内方にくるように配置されている。また、プレート２１における外方の位置には、プレート２１の上端から縦方向に沿って切り欠かれて形成されたスリット２３が設けられている。
【００３０】
また、シリンダボトム５に設けられたピン２２は、外方に突出して設けられている。このピン２２が、プレート２１に形成されたスリット２３に挿入されている。その他の点については、上記第１の実施形態と同様の構成を有している。
【００３１】
以上の構成を有する本実施形態に係るリフトシリンダの支持構造の作用について説明する。
【００３２】
本実施形態に係るリフトシリンダの支持構造２０では、上記第１の実施形態と同様、ロアビーム３の上面にプレート２１が設けられ、プレート２１に形成されたスリット２３にシリンダボトム５に形成されたピン２２が挿入されて、シリンダ本体４の横方向の移動および回転を防止している。このため、ロアビーム３を複雑な形状とすることなく、簡素な構造として、シリンダ本体４の横方向への移動および回転を防止しているので、ロアビーム３の加工が容易なものとなる。
【００３３】
また、本実施形態に係るリフトシリンダの支持構造２０では、プレート２１の平面視した形状が略Ｃ字形状とされている。このため、シリンダボトム５の周囲を囲んでいるので、プレート２１によって、シリンダ本体４の横方向への移動を防止することができる。したがって、プレート２１に形成されたスリット２３と、シリンダボトム５に設けられたピン２２とでは、シリンダ本体４の回転を防止すればよいので、シリンダボトム５に設けるピン２２を１つで済ませることができる。
【００３４】
また、上記第１の実施形態と同様、プレート２１に形成されたスリット２３は、十分な深さを有していることから、スリット２３からピン２２が抜けにくくされている。したがって、リフトシリンダ２が多少上下動したときでも、シリンダ本体４の横方向の位置がずれないようにすることができる。さらに、プレート２１は、シリンダ本体４よりも内方のスペースを除いたスペースに配置されているので、リフトシリンダ２に作動油を供給する配管スペースを確保することができる。
【００３５】
以上、本発明の好適な実施形態について説明したが、本発明は上記各実施形態に限定されるものではない。たとえば、上記第２の実施形態では、プレート２１の開口部を内方にくるように配置しているが、開口部がマスト側にくるように配置することもできる。プレートの開口部がマスト側にくるように配置することにより、リフトシリンダとマストとの間の距離を短くすることができ、安定性を高めることができる。この場合には、プレートの内方における下部に切欠きを形成することにより、配管スペースを確保することができる。
【００３６】
また、上記各実施形態では、それぞれプレートは１枚のみ設けているが、２枚あるいはそれ以上の複数のプレートを設ける態様とすることもできる。複数のプレートを設けることにより、シリンダ本体の移動および回転を防止するとともに、リフトシリンダにおけるマスト側および内方のスペースを確保することが容易となる。さらに、上記各実施形態では、横方向移動防止部材としてプレートを用いているが、たとえばブロック状のものなどを用いることもできる。
【００３７】
他方、上記各実施形態では、シリンダ本体の横方向の移動とともに回転をも防止しているので、シリンダボトムにピンを設け、プレートにスリットを形成する態様としている。これに対して、たとえばシリンダ本体の上部でシリンダ本体の回転を防止する手段を設けることにより、ロアビームにはプレートを設けて、ピンやスリットなどを形成しない態様とすることもできる。この態様では、リフトシリンダの支持構造をさらに簡素なものとすることができる。
【００３８】
【発明の効果】
以上のとおり、本発明によれば、ロアビームの構造を簡素にして、その加工を容易にしながらも、リフトシリンダを支持することができるリフトシリンダの支持構造を提供することができる。
【図面の簡単な説明】
【図１】第１の実施形態に係るリフトシリンダの支持構造の平面図である。
【図２】第１の実施形態に係るリフトシリンダの支持構造の側面図である。
【図３】第２の実施形態に係るリフトシリンダの支持構造の平面図である。
【図４】第２の実施形態に係るリフトシリンダの支持構造の側面図である。
【図５】従来のリフトシリンダの支持構造の側面図である。
【符号の説明】
１，２０…リフトシリンダの支持構造、２…リフトシリンダ、３…ロアビーム、４…シリンダ本体、５…シリンダボトム、６…アウタマスト、１１，２１…プレート、１２…第一ピン、１３…第二ピン、１４…第一スリット、１５…第二スリット、２２…ピン、２３…スリット。
【図１】
2004359376.tif 000003
【図２】
2004359376.tif 000004
【図３】
2004359376.tif 000005
【図４】
2004359376.tif 000006
【図５】
2004359376.tif 000007